(57)【特許請求の範囲】
【請求項１】
タイヤに貼付けされるラベルの外形と実質的に同一の形状の中穴部を有する粘着シートの粘着面に離型紙が仮固定されているラベル接着層形成枠体を用い、前記離型紙を除去し、さらに、該離型紙が除去された粘着シートを前記ラベル接着層形成枠体ごとタイヤのサイドウォール上の被貼付け面に前記中穴部を合わせて貼付け、しかる後、前記中穴部の前記被貼付け面上に接着剤を付与して接着剤層を形成し、さらに、該粘着シートを除去して後に前記接着剤層に被貼付けラベルを貼付けるか、または、該接着剤層に被貼付けラベルを貼付けて後に前記粘着シートを除去することを特徴とするタイヤへのラベル貼付け方法。
【請求項２】
前記接着剤層を形成する接着剤として、常温硬化型の接着剤を用いることを特徴とする請求項１記載のタイヤへのラベル貼付け方法。
【請求項３】
２０℃雰囲気下、ＢＳ型粘度計で測定した粘度が５００〜４０００Ｐａ・ｓ、チクソインデックス（１ｒｐｍ／１０ｒｐｍ）が３．０〜７．５の接着剤を用いて前記接着剤層を形成することを特徴とする請求項１または２記載のタイヤへのラベル貼付け方法。
【請求項４】
前記接着剤として、弾性接着剤を使用することを特徴とする請求項１〜３のいずれかに記載のタイヤへのラベル貼付け方法。
【請求項５】
タイヤに貼付けされるラベルの外形と実質的に同一の形状の中穴部を有する粘着シートの粘着面に離型紙が仮固定されているラベル接着層形成枠体であり、前記粘着シートが透明もしくは半透明な樹脂をベースにしたものであることを特徴とするタイヤへのラベル接着層形成枠体。
【請求項６】
前記粘着シートの中穴部に、被貼付けラベルが添え置きされていることを特徴とする請求項５記載のタイヤへのラベル接着層形成枠体。
【発明の詳細な説明】
【技術分野】
【０００１】
本発明は、成型後のタイヤのサイドウォールに、所望に応じてラベルを貼付ける方法とそのために用いるラベル接着層形成枠体に関する。
【背景技術】
【０００２】
従来、タイヤに意匠効果・商品アピール効果などを与えることを目的として、成型後のタイヤのサイドウォールにユーザーがラベルを貼付けて使用する場合があり、たとえばレース用タイヤなどで行われている。
【０００３】
図１は、そのようなラベル３をタイヤのサイドウォールに貼付けた状態をモデル的に示したタイヤの要部概略斜視図であり、代表的には、このようなラベル３がタイヤ回転軸を中心として点対称状などに数枚貼られて該タイヤがレースなどで使用される。
【０００４】
一般に、このようなラベルをタイヤに貼付けて使用する場合、レース用タイヤであれば、該レースに臨んでいる時間だけ、すなわち、一時的にラベルが貼付いていればよいと考えられ、永久的なラベルの貼付けを意図したものではなかった。このような事情から、ラベルを貼付けるに際して、従来からラベルの貼付け手法として採用されてきたのは、熱転写ラベルを用いた方法やラベル裏面に粘着テープを用いた簡易的な方法であり、いずれも一時的な接着状態を形成することを目的としたレベルにすぎないものであった。
【０００５】
すなわち、半永久的にラベルの貼付け状態を維持することを意図した貼付け手法、特に、タイヤユーザー側でも簡単に貼付けができ、それも半永久的に強固にかつ美麗に貼付けることができるような貼付け手法は検討されてなかったのが実状である。
【０００６】
なお、従来、タイヤへのラベル貼付方法として提案されている技術があるが、それらはタイヤの生産工場において被加工物たるタイヤにその生産に必要な固有の情報を付すために使用されるラベルの貼付けをするものであり、やはり一時的な貼付けを意図したシール状等の簡単なラベルにすぎず、本発明とはラベルの貼付け目的や構成が相違する（特許文献１、２）。
【特許文献１】国際公開第２００３／０９５１８４パンフレット
【特許文献２】特開２００６−２７３３７３号公報
【発明の開示】
【発明が解決しようとする課題】
【０００７】
本発明の目的は、上述したような点に鑑み、タイヤユーザー側でも簡単に貼付けができ、それも半永久的に強固にかつ美麗に貼付けることができるようなタイヤへのラベル貼付け手法とそのために用いるラベル接着層形成枠体を提供することにある。
【０００８】
なお、本発明においてタイヤユーザー側とは、タイヤ販売店頭での従業者やタイヤ購入者・使用者などをいう。また、本発明でいうラベルとは、主に意匠効果や商品・商品名のアピール効果をねらい付与されるものをいい、そうした効果をねらい付与されるプレート、デザインプレートと呼ばれるようなもの等も含む概念である。
【課題を解決するための手段】
【０００９】
上述した目的を達成する本発明のタイヤへのラベル貼付け方法は、以下の（１）の構成を有する。
【００１０】
（１）タイヤに貼付けされるラベルの外形と実質的に同一の形状の中穴部を有する粘着シートの粘着面に離型紙が仮固定されているラベル接着層形成枠体を用い、前記離型紙を除去し、さらに、該離型紙が除去された粘着シートを前記ラベル接着層形成枠体ごとタイヤのサイドウォール上の被貼付け面に前記中穴部を合わせて貼付け、しかる後、前記中穴部の前記被貼付け面上に接着剤を付与して接着剤層を形成し、さらに、該粘着シートを除去して後に前記接着剤層に被貼付けラベルを貼付けるか、または、該接着剤層に被貼付けラベルを貼付けて後に前記粘着シートを除去することを特徴とするタイヤへのラベル貼付け方法。
【００１１】
また、かかる本発明のタイヤへのラベル貼付け方法において、より具体的に好ましい構成として、以下の（２）〜（４）のいずれかの構成を有するものである。
【００１２】
（２）前記接着剤層を形成する接着剤として、常温硬化型の接着剤を用いることを特徴とする上記（１）記載のタイヤへのラベル貼付け方法。
（３）２０℃雰囲気下、ＢＳ型粘度計で測定した粘度が５００〜４０００Ｐａ・ｓ、チクソインデックス（１ｒｐｍ／１０ｒｐｍ）が３．０〜７．５の接着剤を用いて前記接着剤層を形成することを特徴とする上記（１）または（２）記載のタイヤへのラベル貼付け方法。
（４）前記接着剤として、弾性接着剤を使用することを特徴とする上記（１）〜（３）のいずれかに記載のタイヤへのラベル貼付け方法。
【００１３】
また、上述した目的を達成する本発明のタイヤへのラベル接着層形成枠体は、以下の（５）または（６）のいずれかの構成を有するものである。
【００１４】
（５）タイヤに貼付けされるラベルの外形と実質的に同一の形状の中穴部を有する粘着シートの粘着面に離型紙が仮固定されているラベル接着層形成枠体であり、前記粘着シートが透明もしくは半透明な樹脂をベースにしたものであることを特徴とするタイヤへのラベル接着層形成枠体。
（６）前記粘着シートの中穴部に、被貼付けラベルが添え置きされていることを特徴とする上記（５）記載のタイヤへのラベル接着層形成枠体。
【発明の効果】
【００１５】
請求項１にかかる本発明によれば、タイヤユーザー側でも、接着剤が手指にくっつくなどのこともなく作業性良く簡単に貼付けができ、それも半永久的に強固にかつ美麗に貼付けることができるタイヤへのラベル貼付け方法が提供される。
【００１６】
請求項５にかかる本発明によれば、上記した本発明のタイヤへのラベル貼付け方法を実施するのに用いられる新規なタイヤへのラベル接着層形成枠体が提供される。
【００１７】
また、接着剤の塗布量を規制することができることから、接着剤がはみ出す量をほぼゼロにまで減らすことができるので外観上も好ましく、また、接着剤の塗布量は接着性能に影響することから、接着の信頼性を向上させることができるという利点をもたらすものである。
【発明を実施するための最良の形態】
【００１８】
以下、更に詳しく本発明のタイヤへのラベル貼付け方法とラベル接着層形成枠体について、説明する。
【００１９】
本発明のタイヤへのラベル貼付方法を実施するには、まず、タイヤに貼付けされるラベル３の外形と実質的に同一の形状の中穴部を有する粘着シートの粘着面に離型紙が仮固定されているラベル接着層形成枠体を用いる。図２（ａ）にその状態をモデル的に示したように、粘着シート５は比較的厚いものであり、粘着面（太実線で示した）上に離型紙４が仮固定され、粘着シート５には中穴部６があけられている。この中穴部６はラベル３の外形と実質的に同一の形状のものである。
【００２０】
そして、その状態から、離型紙４を除去し、露出させた粘着シートの粘着面をそのままタイヤのサイドウォール２上のラベル被貼付面に中穴部６の外形位置を合わせてラベル接着層形成枠体ごと貼付けるものである。
【００２１】
しかる後、中穴部６を介して被貼付面上に接着剤を付与して接着剤層（図示せず）を形成し、さらに、粘着シート５を除去して後に前記接着剤層上に被貼付けラベル３を貼付けるか、あるいは、該接着剤層（図示せず）上に被貼付けラベルを貼付けて後に粘着シート５を除去することにより、タイヤへのラベル貼付けをするものである。
【００２２】
また、接着剤層を形成するに際して、接着剤を付与（塗布）した後、必要に応じて適宜に該接着剤の表面層をならしたり、あるいは少し時間を置いて少し固化させる等をすることができる。
【００２３】
粘着シート５は、粘着テープというべき細長いものであってもよく、また、該粘着シート５を通して、離型紙４やラベル３の貼付け面が見えるように、あるいは、その貼付け位置の位置決めがしやすいように透明もしくは半透明な樹脂シートからなることが好ましい。
【００２４】
接着剤としては、常温硬化型のものを用いることがユーザー側で簡易に貼付けを行うことができる上で好ましく、また、貼付け後の道路走行に伴うタイヤ変形に適応できるように、高い接着力を有するともに柔軟さにも富んだ弾性接着剤を使用することが好ましい。
【００２５】
また、接着剤は、中穴部６である凹部に充填するように塗布されるものなので、塗布時にあまり低い粘度のものよりも、ある程度は中〜高粘度のものを使用することが好ましく、本発明者らの知見によれば、好ましくは、２０℃雰囲気下、ＢＳ型粘度計で測定した粘度が５００〜４０００Ｐａ・ｓ、チクソインデックス（１ｒｐｍ／１０ｒｐｍ）が３．０〜７．５の接着剤を使用することである。粘度が上記範囲よりも低すぎると接着剤が垂れやすくなり作業性が低下し、また、高すぎると接着剤の混合性や押出し性が悪くなり、作業性や実用性で良くない方向である。
【００２６】
粘着シート５の基材シートの種類は、特に制限されるものではなく、塩化ビニル系、ポリプロピレン系、ポリエステル系、ウレタン系、アクリル系、シリコーン系あるいはゴム系などのいずれでも使用することができる。中でも、曲面をなしているタイヤサイドウォールに貼り付けるという観点およびタイヤの変形に追従するという観点から、可撓性を有するものであることが好ましい。粘着シートの粘着剤の種類は、特に限定されるものではなく、アクリル系、ゴム系、シリコーン系のいずれでも使用できる。ラベルとしては、ポリウレタン製、ゴム製（ＮＲ、ＣＲ、ＮＢＲ、ＳＢＲ等）のものなどが使用でき、その厚さは０．５〜３ｍｍ程度のものであることがタイヤに貼付けたときの外観上好ましい。
【００２７】
本発明の請求項５のタイヤへのラベル接着層形成枠体は、図２（ａ）に示した状態のものであり、まだ接着剤が充填されていない状態のものを指している。その状態の方が市場での流通もしやすいので好ましく、また、ラベルを貼付けるタイヤユーザーが貼付け直前に至って、接着剤層を塗布し形成するようにすることが、貼付ける前に接着剤が固まってしまうなどの問題を起こすこともないので好ましいからである。
【００２８】
中穴部６を形成するためには、図２（ｂ）に示したように、粘着シート５にラベル３の外形に合わせたミシン目７を形成しておき、該ミシン目７に囲まれた粘着シート部５′を除去することによって中穴部６を形成することができる。なお、図２（ｂ）のＡ−Ａ′方向から見ての断面図が図２（ａ）である。
【００２９】
あるいはまた、粘着シート部５′を始めから除去して中穴部６を形成し、その中穴部６にラベル３を添え置きしてもよいものである。
【００３０】
以上のように本発明によれば、接着剤などで手指を汚したりあるいはベタつかせることなどもなく、美麗かつ簡単に所望のラベル貼付ができる。また、接着剤の塗布量を規制することができることから、接着剤がはみ出す量をほぼゼロにまで減らすことができるので外観上も好ましく、また、接着剤の塗布量は接着性能に影響することから、接着の信頼性を向上させることができるという利点をもたらす。
【図面の簡単な説明】
【００３１】
【図１】図１は、ラベルをタイヤのサイドウォールに貼付けた状態をモデル的に示したタイヤの要部概略斜視図である。
【図２】図２は、本発明にかかるタイヤへのラベル貼付け方法を説明するための概略モデル図であり、（ａ）は本発明にかかるラベル接着層形成枠体の中穴部があけられている状態を示したもの、（ｂ）は本発明にかかるラベル接着層形成枠体において中穴部に粘着シートまたはラベルが嵌め込まれている状態を示したものである。
【符号の説明】
【００３２】
１  タイヤ
２  サイドウォール
３  ラベル
４  離型紙
５  粘着シート
６  粘着シートの中穴部
７  中穴形成ミシン目
【図１】
0005119997.tif 000002
【図２】
0005119997.tif 000003